(57)【要約】【課題】微生物迅速検査装置に使用される、微生物捕集用フィルターにおいて、捕集した微生物を、精度良く検査できる微生物捕集方法を提供することを目的とする。【解決手段】微生物捕集用フィルター１０３の微生物捕集面に微生物入り液状検体のろ過範囲限定手段１を備え、前記液状検体のろ過範囲を限定することにより、捕集する対象となる微生物の捕集範囲を限定し、微生物の計測制度を向上させることが可能な、微生物捕集方法が得られる。【選択図】図１
2005278454.tif 000002
【特許請求の範囲】
【請求項１】
微生物捕集用フィルターと、前記フィルターを保持するフィルター受けと、前記フィルターを押さえるフィルター押さえにより構成されたろ過部材に微生物入り液状検体を注入、ろ過することにより微生物を捕集する方法において、前記フィルターの微生物捕集面の前記フィルター押さえ内側に前記液状検体のろ過範囲を限定するろ過範囲限定手段を備え、前記液状検体のろ過範囲を限定することにより、捕集する対象となる微生物の捕集範囲を限定することを特徴とする微生物捕集方法。
【請求項２】
前記フィルターのろ過範囲限定手段を開口部を設けた筒状構造体とした請求項１の微生物捕集方法。
【請求項３】
前記筒状構造体の内側に液状検体注入側よりも微生物捕集側が小さくなるようにテーパーを設けテーパー付構造体とした請求項２の微生物捕集方法。
【請求項４】
前記構筒状造体と前記テーパー付構造体の高さが可変できる高さ可変構造体とした請求項２及び３の微生物捕集方法。
【請求項５】
前記筒状構造体と前記テーパー付構造体と前記高さ可変構造体に撥水処理を施した請求項２乃至４の微生物捕集方法。
【請求項６】
前記フィルターのろ過範囲を限定する手段を、前記フィルターの微生物捕集面の外周にろ過できない不ろ過処理をほどこした構成にした請求項１の微生物捕集方法。
【請求項７】
前記不ろ過処理を、前記フィルターの微生物捕集面の外周に接着剤を塗布し外周がろ過出来ない構成にした請求項６の微生物捕集方法。
【請求項８】
前記不ろ過処理を、前記フィルターの微生物捕集面の外周を塗料により着色することにより外周がろ過が出来ない構成にした請求項６の微生物捕集方法。
【請求項９】
前記不ろ過処理を、前記フィルターの微生物捕集面の外周に撥水処理を施し外周のみ濾過できない構成とした請求項６の微生物捕集方法。
【発明の詳細な説明】
【技術分野】
【０００１】
本発明は、微生物を検査する場合に使用される微生物捕集用フィルターを用いた微生物の捕集方法に関する。
【背景技術】
【０００２】
従来この種の微生物捕集方法は、特許文献１に示されたものが知られている。
以下その微生物捕集方法について図５を参照しながら説明する。
【０００３】
図５に示すように液状検体を捕集するろ過部材１０１は、フィルター押さえ１０２とフィルター１０３とフィルター受け１０４より構成される。
【０００４】
上記構成において、微生物入り液状検体をろ過プレート中央部に滴下し、滴下された検体をフィルター裏面より吸引機を用いて液状物質を吸引し、微生物を捕集していた。
【特許文献１】特開２００３−１１４１７５号公報
【発明の開示】
【発明が解決しようとする課題】
【０００５】
このような従来の微生物捕集方法では、微生物入り液状検体のろ過時、フィルター押さえの周囲まで液状検体がまわりこんだ状態で液状検体がろ過され、微生物はフィルターの全域に捕集されることとなる。
【０００６】
さらに、微生物の捕集されたろ過部材を使用して計測する微生物迅速計測装置では、フィルター面に捕集された微生物に蛍光染色等を行い、フィルター上の微生物を蛍光発光させその光の画像を撮影し、画像処理にて微生物の発光点を計測する方法が取られている。この計測方法は、画像を撮影して行う方法のため、ピントが合っていることが必要であり、ピントが合うためにはフィルター面の平面度をだすことが必要となる。この平面度を出すため、フィルター裏面からろ過部分より小さくした計測台を押し当て微生物を撮影する方法をとっている。このため、計測台から外れたろ過部分の外周部分の平面度がだせず、発光点撮影時にピントがあわないために、捕集した微生物の全てを計測することが出来ないという課題があり、微生物の捕集範囲を限定し捕集した微生物全てを計測できることが要求されている。
【０００７】
本発明は、このような従来の課題を解決するものであり、注入される微生物入り液状検体のろ過範囲を限定し、微生物捕集範囲の限定できる微生物捕集方法を提供することを目的としている。
【課題を解決するための手段】
【０００８】
本発明の微生物捕集方法は、上記目的を達成するためにろ過範囲を限定するろ過範囲限定手段をそなえたことにより、微生物捕集用フィルターの微生物捕集範囲を限定できるようにしたものである。
【０００９】
この手段により、液状検体のろ過範囲を限定することができ、微生物の捕集範囲を限定することができる微生物捕集方法が提供できる。
【００１０】
また、他の手段は、フィルターのろ過範囲限定手段を開口部を設けた構造体としたものである。
【００１１】
これにより液状検体のろ過範囲を限定することができ、微生物の捕集範囲を限定することができる微生物捕集方法が提供できる。
【００１２】
また、他の手段は、前記構造体の内側に液状検体注入側よりも微生物捕集側が小さくなるようにテーパーを設けたテーパー付構造体としたものである。
【００１３】
これにより液状検体のろ過範囲を限定することができ、また、ろ過性能を向上した微生物の捕集範囲を限定することができる微生物捕集方法が提供できる。
【００１４】
また、他の手段は、前記構造体と前記テーパー付構造体を高さの可変できる高さ可変構造体としたものである。
【００１５】
これにより液状検体のろ過範囲を限定することができ、また、液状検体注入性のよい微生物の捕集範囲を限定することができる微生物捕集方法が提供できる。
【００１６】
また、他の手段は、ろ過範囲を限定する手段前記構造体、前記テーパー付構造体、前記高さ可変構造体に撥水処理を施した撥水処理構造体としたものである。
【００１７】
これにより、液状検体のろ過範囲を限定することができ、液状検体注入性、及び、ろ過性の良い、微生物の捕集範囲を限定することができる微生物捕集方法が提供できる。
【００１８】
また、他の手段は、微生物捕集フィルターの微生物捕集面の外周に不ろ過処理を施した構成としたものである。
【００１９】
これにより、液状検体のろ過範囲を限定することができ、微生物の捕集範囲を限定することができる微生物捕集方法が提供できる。
【００２０】
また、他の手段は、前記フィルターの不ろ過処理を接着剤でおこなう構成としたものである。
【００２１】
これにより、液状検体のろ過範囲を限定することができ、微生物の捕集範囲を限定することができる微生物捕集方法が提供できる。
【００２２】
また、他の手段は、前記フィルターの不ろ過処理を、有色塗料にておこなうよう構成としたものである。
【００２３】
これにより、液状検体のろ過範囲を限定することができ、また、液状検体の注入位置の視認性のよい微生物の捕集範囲を限定することができる微生物捕集方法が提供できる。
【００２４】
また、他の方法では、前記フィルターの不ろ過処理を、撥水処理により行う構成としたものである。
【００２５】
これにより、これにより、液状検体のろ過範囲を限定することができ、また、ろ過性能のよい微生物の捕集範囲を限定することができる微生物捕集方法が提供できる。
【発明の効果】
【００２６】
本発明によれば、微生物捕集範囲が限定できることで、微生物の計測精度を向上できるという効果を有する微生物捕集方法を提供できる。
【００２７】
また、本発明によれば、検体の注入性をよくすることで、液状検体注入時間を短縮できるという効果を有する微生物捕集方法を提供できる。
【００２８】
また、本発明によれば、ろ過性能を向上させることで、ろ過時間が短縮できるという効果を有する微生物捕集方法を提供できる。
【発明を実施するための最良の形態】
【００２９】
本発明の請求項１記載の発明は、微生物捕集用フィルターに注入される微生物入り液状検体のろ過範囲を限定する手段を設けたものであり、微生物が捕集される範囲を限定できるという作用を有する。
【００３０】
本発明の請求項２記載の発明は、ろ過範囲限定手段を開口部を設けた筒状構造体としたものであり、液状検体注入位置が限定でき、微生物捕集範囲の限定できるという作用を有する。
【００３１】
本発明の請求項３記載の発明は、ろ過範囲限定手段を開口部と液状検体注入側開口径よりも微生物捕集側開口径小さいがテーパーを備えたテーパー付構造体としたものであり、微生物捕集範囲が限定でき、ろ過性をよくできるという作用を有する。
【００３２】
本発明の請求項４記載の発明は、ろ過範囲限定手段を筒状構造体とテーパー付構造体の高さを変えることのできる高さ可変構造体としたものであり、微生物捕集範囲が限定でき、液状検体注入性を良くできるという作用を有する。
【００３３】
本発明の請求項５記載の発明は、ろ過範囲限定手段を筒状構造体とテーパー付構造体と高さ可変構造体とに撥水処理加工をしたものであり、微生物捕集範囲が限定でき、ろ過性を良く、液状検体注入性を良くできる作用を有する。
【００３４】
本発明の請求項６記載の発明は、ろ過限定手段を微生物捕集用フィルターの外周が濾過できないようにした不ろ過処理を施した構成としたものであり、微生物捕集範囲が限定できる作用を有する。
【００３５】
本発明の請求項７記載の発明は、不ろ過処理を接着剤により行う構成としたものであり、微生物捕集範囲が限定できる作用を有する。
【００３６】
本発明の請求項８記載の発明は、不ろ過処理を塗料にて着色することで行う構成としたものであり、液状検体注入位置の視認性を良く出来るという作用を有する。
【００３７】
本発明の請求項９記載の発明は、不ろ過処理を撥水処理により行う構成としたものであり、ろ過性を良く出来るという作用を有する。
【００３８】
以下、本発明の実施の形態について図面を参照しながら説明する。
【００３９】
（実施の形態１）
図１に示すように、ろ過範囲限定方法はろ過限定手段１と、微生物捕集用フィルター１０３とフィルター押さえ１０２とフィルター受け１０４から構成されるろ過部材１０１で構成される。
【００４０】
図1において、ろ過範囲限定手段１はフィルター押さえの内部に構成され、内側に開口部をもつ微生物入り液状検体の注入位置を指示する筒状構造体となる。
【００４１】
ここで、前記筒状構造体は、プラスチック、金属、セラミックなどの材料であり、液状検体に対して劣化、軟化等しない材料である。
【００４２】
上記構成において、前記筒状構造体は液状検体注入時に液状検体の移動を制限しろ過される位置が限定され、液状検体が微生物捕集用フィルター１０３の外周に回りまくなることとなり、ろ過範囲を限定することができることとなる。
【００４３】
なお、形状については、フィルター押さえの内側に入る様にすればよく、ろ過範囲を限定する部分の形状については、円、正方形、三角形等限定されるものではない。
【００４４】
（実施の形態２）
図２は、実施の形態２のろ過限定手段の一例を示す断面図である。図２においてろ過限定手段は、実施の形態１の筒状構造体を液状検体注入口側が大きく微生物捕集側が小さいテーパーを設けたテーパー付構造体２にすることで構成される。
【００４５】
上記構成において、テーパー付構造体２と微生物捕集用フィルター面との接触部分の角度が鈍角となることにより、前記接触部分に残った液状検体の表面張力が減り、ろ過性能を向上させると同時にろ過範囲が限定できることとなる。
【００４６】
なおテーパーをつける位置は、開口部上部より連続でなくても、前記筒状構造体と微生物捕集用フィルター面の接触部分にのみつけることも可能である。
【００４７】
（実施の形態３）
図３は、実施の形態３の一例を示す濾過限定手段の断面図である。図３のろ過範囲限定手段は、前記筒状構造体を第１の液状検体注入手段３、第２の液体中注入手段４、第３の液体注入手段５とを備え、第１の液体検体注入手段３は第２の液状検体注入手段４の内側に構成され、第２の液状検体注入手段４は、第３の液状検体注入手段５の内側に構成されかつ、第２の液状検体注入手段４は、第１の液状検体注入手段３の外側を可動でき、第２の液状検体注入手段４と、第１の液状検体注入手段３は隙間なく接触した構成であり、第３の液状検体注入手段５は、第２の液状検体注入手段４の外側を可動でき、第３の液状検体注入手段５と、第２の液状検体注入手段４は隙間なく接触した構成であり、第３の液体検体注入手段５を上方に引くことで前記円筒状の高さを変えることの可能な高さ可変構造体６にすることで構成される。
【００４８】
上記構成において、第３の液体検体注入手段５を上方に引くことでろ過限定手段の液状検体注入容積を増やすことができ、液状検体を１度に注入できる量を増やすことができ、液状検体注入性を向上させるとともにろ過範囲を限定できることとなる。
【００４９】
また、図２，３の構造体にフッ素コーティング材等の撥水処理を行うことで、前記構造体についた液状検体をつかなくすることができるため、更にろ過性を向上させることも可能である。
【００５０】
（実施の形態４）
図４は実施の形態４の不ろ過処理の一例を示す図である。図４において、微生物捕集用フィルター１０３の外周を濾過できなくする処理である不ろ過処理７を行う構成にしたものである。
【００５１】
不ろ過処理７は、接着剤塗布、塗料に塗布着色、撥水処理等で行う。
不ろ過処理７の材質は、微生物捕集フィルター１０３を劣化させないもの。例えば、接着剤は有機溶剤を含まないもの、塗料では水性、撥水処理は、フッ素コーティング剤等を用いる。
【００５２】
上記構成において、不ろ過処理７を施していない部分のみろ過できるようになるため、微生物捕集用フィルター１０３の外周に微生物が捕集されることがなくなり、微生物を捕集範囲が限定できる。
【００５３】
また、塗料により着色した場合には、液状検体注入位置の視認性をよくすることができる。
【００５４】
また、撥水処理により不ろ過処理７をほどこした場合には、不ろ過処理部分の水切れをよくすることができ、ろ過性を向上させることができる。
【００５５】
なお、不ろ過処理７に接着剤、撥水処理材に着色させた材料をもちいることで、塗料により着色した場合と同じ効果をえることができる。
【産業上の利用可能性】
【００５６】
本発明の微生物捕集範囲の限定方法は、微生物入り液状検体を微生物捕集用フィルターを用いて微生物を計測する場合において、微生物を精度良く検出できる効果を有し。微生物の迅速計測装置に使用するろ過方法として有用である。
【図面の簡単な説明】
【００５７】
【図１】本発明の実施の形態1の微生物捕集手段の一例の断面図
【図２】本発明の実施の形態２のろ過範囲限定手段の一例の断面図
【図３】本発明の実施の形態３のろ過範囲限定手段の一例の断面図
【図４】本発明の実施の形態４の不ろ過処理の一例の図
【図５】従来技術のろ過部材の断面図
【符号の説明】
【００５８】
１  ろ過範囲限定手段
２  テーパー付構造体
３  第１の液状検体注入手段
４  第２の液状検体注入手段
５  第３の液状検体注入手段
６  高さ可変構造体
７  不ろ過処理
１０１  ろ過部材
１０２  フィルター押さえ
１０３  フィルター
１０４  フィルター受け
【図１】
2005278454.tif 000003
【図２】
2005278454.tif 000004
【図３】
2005278454.tif 000005
【図４】
2005278454.tif 000006
【図５】
2005278454.tif 000007